(57)【要約】【課題】固定部を軒先面に固定する際に本体部が邪魔になることを回避できる軒樋支持具を提供する。【解決手段】軒先取付板部２０は、本体部１０の後部を固定させた中央基部２１の両側に、軒先面３に固定具３０で固定される固定部２３を備えた形状とされており、固定部２３は、軒先面３の前方で前後に重なり、それぞれに固定具挿通孔２４ａ、２６ａを有した板状部２４、２６よりなり、前方の板状部２４は後方の板状部２６の端部より鋭角状に折曲延出し、前方の板状部２４の固定具挿通孔２４ａは、軒樋支持具１の取付状態の正面視において、後方の板状部２６の固定具挿通孔２６ａよりも外側に配されている。【選択図】図１
2019060203.tif 000002
【特許請求の範囲】
【請求項１】
軒樋を支持する本体部と、該本体部を軒先面より前方に突出させるように該本体部の後部を固定させた軒先取付板部とを備えた軒樋支持具において、
前記軒先取付板部は、前記本体部の後部を固定させた中央基部の両側に、軒先面に固定具で固定される固定部を備えた形状とされており、
前記固定部は、前記軒先面の前方で前後に重なり、それぞれに固定具挿通孔を有した板状部よりなり、前方の板状部は後方の板状部の端部より鋭角状に折曲延出し、前記前方の板状部の前記固定具挿通孔は、前記軒樋支持具の取付状態の正面視において、前記後方の板状部の前記固定具挿通孔よりも外側に配されていることを特徴とする軒樋支持具。
【請求項２】
請求項１において、
前記前方の板状部の中央側の端部には、前記後方の板状部側に突出したストッパ片が形成されていることを特徴とする軒樋支持具。
【請求項３】
請求項１または２において、
前記前方の板状部の前記固定具挿通孔は丸孔とされる一方、前記後方の板状部の前記固定具挿通孔は長孔とされることを特徴とする軒樋支持具。
【請求項４】
請求項１〜３のいずれか１項において、
前記後方の板状部の前記固定具挿通孔が斜め方向に開通していることを特徴とする軒樋支持具。
【発明の詳細な説明】
【技術分野】
【０００１】
本発明は、軒樋を支持する本体部と、本体部を軒先面より前方に突出させるように本体部の後部を固定させた軒先取付板部とを備えた軒樋支持具に関する。
【背景技術】
【０００２】
従来のこの種の軒樋支持具は、本体部とは別体の軒先取付板部に、本体部の後部に配された取付足の一部が固着一体化されたものが現場に持ち込まれ、軒先に取り付けされるのが一般的な手順とされる（たとえば、特許文献１参照）。
【０００３】
このように軒樋支持具は一体となっているため、複数部材を現場で組み立てる必要はない。通例では、軒先取付板部は固定具挿通孔が開設された板状の固定部を左右に有しており、それらの固定部を軒先面に当てて、左右のいずれをも固定具で固定する取り付け手順とされている。
【先行技術文献】
【特許文献】
【０００４】
【特許文献１】特許第６１４５５２４号公報
【発明の概要】
【発明が解決しようとする課題】
【０００５】
しかしながら、軒樋支持具は上記のように一体となっているため、軒先取付板部を軒先面にあてがった状態では本体部が前方に長く突出し、その本体部が固定部のビス止めや釘打ちに邪魔になり、一体としたことでかえって作業の効率性が阻害されることとなっている。
【０００６】
本発明は、このような事情を考慮して提案されたもので、その目的は、固定部を軒先面に固定する際に本体部が邪魔になることを回避できる軒樋支持具を提供することにある。
【課題を解決するための手段】
【０００７】
上記目的を達成するために、請求項１に記載の軒樋支持具は、軒樋を支持する本体部と、本体部を軒先面より前方に突出させるように本体部の後部を固定させた軒先取付板部とを備えた軒樋支持具において、軒先取付板部は、本体部の後部を固定させた中央基部の両側に、軒先面に固定具で固定される固定部を備えた形状とされており、固定部は、軒先面の前方で前後に重なり、それぞれに固定具挿通孔を有した板状部よりなり、前方の板状部は後方の板状部の端部より鋭角状に折曲延出し、前方の板状部の固定具挿通孔は、軒樋支持具の取付状態の正面視において、後方の板状部の固定具挿通孔よりも外側に配されていることを特徴とする。
【０００８】
請求項２に記載の軒樋支持具は、前方の板状部の中央側の端部には、後方の板状部側に突出したストッパ片が形成されていることを特徴とする。
【０００９】
請求項３に記載の軒樋支持具は、前方の板状部の前記固定具挿通孔は丸孔とされる一方、後方の板状部の固定具挿通孔は長孔とされることを特徴とする。
【００１０】
請求項４に記載の軒樋支持具は、後方の板状部の固定具挿通孔が斜め方向に開通していることを特徴とする。
【発明の効果】
【００１１】
請求項１に記載の軒樋支持具は上述した構成とされているため、固定部を軒先面に固定する際に本体部が邪魔になることを回避することができる。
【００１２】
請求項２に記載の軒樋支持具は上述した構成とされているため、固定具による固定操作で前方の板状部が変形することを防止することができる。
【００１３】
請求項３に記載の軒樋支持具は上述した構成とされているため、長孔で折曲角度などの形成誤差を吸収でき、固定作業の効率化を図ることができる。
【００１４】
請求項４に記載の軒樋支持具は上述した構成となっているため、固定具を固定具挿通孔の内周縁に沿うように挿通させることができ、ぐらつきなく軒樋支持具をしっかりと固定できる。
【図面の簡単な説明】
【００１５】
【図１】本発明の一実施形態に係る軒樋支持具の斜視図である。
【図２】同軒樋支持具に用いられる軒先取付板部の説明図である。（ａ）は軒先取付板部の横断面図、（ｂ）は同部分展開図である。
【図３】（ａ）（ｂ）は、本発明の他の２実施形態に係る軒樋支持具の横断面図である。
【図４】本発明のさらに他の実施形態に係る軒樋支持具の説明図である。（ａ）は一部を破断させた同軒樋支持具の正面図、（ｂ）は（ａ）のＡ−Ａ線に対応した縦断面図である。
【発明を実施するための形態】
【００１６】
以下に、本発明の実施の形態について、添付図面にもとづいて説明する。まず、概略構成について説明する。
【００１７】
本軒樋支持具１は、軒樋５を支持する本体部１０と、本体部１０を軒先面３より前方に突出させるように本体部１０の後部（図１の例では垂下片１１ｂ）を固定させた軒先取付板部２０とを備えている。軒先取付板部２０は、本体部１０の後部１１ｂを固定させた中央基部２１の両側に、軒先面３に固定具３０で固定される固定部２３を備えた形状とされている。固定部２３は、軒先面３の前方で前後に重なり、それぞれに固定具挿通孔２４ａ、２６ａを有した板状部２４、２６よりなる。前方の板状部２４は後方の板状部２６の端部より鋭角状に折曲延出し、前方の板状部２４の固定具挿通孔２４ａは、軒樋支持具１の取付状態の正面視において、後方の板状部２６の固定具挿通孔２６ａよりも外側に配されている。
【００１８】
ついで、図１および図２に示した軒樋支持具１の詳細構成および効果について説明する。
【００１９】
本軒樋支持具１の本体部１０は、取付足１１、樋支持具本体１２、ロックレバー１３の３部材を連結軸で連結して構成されている。ロックレバー１３は２片の把持部１３ａと基板部（不図示）とを有したコ字形状とされ、ロック、アンロックを切り替えるための部材である。このロックレバー１３を横方向に回転操作してロック位置に動作させたときには３部材がロックの状態となり、アンロック位置に動作させたときに出具合調節のための樋支持具本体１２のスライドが可能となる。つまり、アンロック位置では、ロックレバー１３は軸位置が取付足１１と変わらず一定の位置にとどまり、それらの間に挟まれた樋支持具本体１２のみが前後にスライド移動する。
【００２０】
樋支持具本体１２は、出具合調整用の長孔１２ａを有した板状体とされ、その板状体の前後両端に、図１に示したように、前耳５ａと後耳５ｂとをそれぞれ係止して軒樋５を吊り下げ支持するための前耳支持部１２ｂ、後耳支持部１２ｃを有している。
【００２１】
取付足１１は、前方に延びた足杆１１ａと、足杆１１ａの後端より下方に延びた垂下片１１ｂとよりなり、その垂下片１１ｂが上述した本体部１０の後部とされ、この後部が軒先面３に固定される軒先取付板部２０とリベット３２で連結、一体化されている。足杆１１ａの前端には連結片部１１ａａが段落ち形成されている。この連結片部１１ａａには、下方に配設、重合する樋支持具本体１２、ロックレバー１３に対して連結軸（リベット３２の軸）で連結するための軸孔部（不図示）が開設されている。
【００２２】
図２（ａ）に示すように、軒先取付板部２０は、その裏面が軒先面３に当接するように取り付けられる。軒先取付板部２０は、取付足１１の垂下片１１ｂを軒先面３との間に装着するための凹部２２を有している。この凹部２２を有した部位が上述した中央基部２１とされ、その両側には裏面が軒先面３に密着する固定部２３、２３が段落ち状に形成されている。なお、中央基部２１の中央には取付足１１の垂下片１１ｂとリベット３３で締結一体化するための締結孔２１ａが形成されている。
【００２３】
両側の固定部２３、２３は、図２（ａ）に示すように、左右同形状とされ、横断面において側端がＶ字の頂部をなすように折曲状に形成され、２枚の板状部２４、２６が前後に重なるように配設されている。
【００２４】
図２（ｂ）に示すように、前方の板状部２４および後方の板状部２６のいずれにも、上下に並ぶ３つの固定具挿通孔２４ａ、２６ａが開設されている。これらの孔のうち上下の小孔は釘用挿通孔とされ、中央の大孔はビス用挿通孔とされる。前方の板状部２４の固定具挿通孔２４ａはすべて丸孔であるが、後方の板状部２６の固定具挿通孔２６ａはすべて横長の長孔（図例では楕円孔）である。
【００２５】
上述したように、また図２（ａ）の横断面図に示すように、前方の板状部２４の固定具挿通孔２４ａ（の中心位置）が、後方の板状部２６の固定具挿通孔２６ａ（の中心位置）よりも外側に配されているため、固定具３０の軸部３０ａは、前方の板状部２４の板面に対し直交する方向に挿通し、後方の板状部２６の板面に対し斜め方向に挿通する。固定部２３、２３の裏面全体が軒先面３に密着するように固定されるため、固定具３０の軸部３０ａは軒先面に対しても斜め方向に打ち込まれる。
【００２６】
このように後方の板状部２６には固定具３０の軸部３０ａが斜め方向に挿通するため、固定具挿通孔２６ａとして図例のような横長の長孔を形成することが、形成誤差や打ち込み時のずれにも対応でき望ましい。
【００２７】
軒先取付板部２０の固定部２３、２３は中央基部２１の左右側で左右対称形状とされているため、固定具３０の挿通方向も同様とされ、図２（ｂ）に示すように、固定具３０は略左右対称的に、先端が近づくように斜めに打ち込まれる。
【００２８】
この軒先取付板部２０は、本体部１０と一体化されて軒樋支持具１が形成されているため、固定具３０の打ち込み操作の際には、中央に前方に向けて長く突出した本体部１０から左右に離れた位置において、軒先面３に対し斜め打ちすることができる。つまり、本体部１０が邪魔になることなく、固定具３０の打ち付けができ、軒樋支持具１の取り付けを効率的に実施することができる。
【００２９】
また、固定具３０は軒先面３に対し斜め方向に打ち込まれるため、軒樋支持具１の強固な取り付けを実現できる。特に両固定具３０の打ち込み方向が相互に異なるため、取り付け固定はさらに強化される。
【００３０】
ついで、本発明の他の実施形態について順に説明する。なお、図３（ａ）（ｂ）および図４に示した例は、図２のものと同様、軒先取付板部２０に特徴を有したものであり、本体部１０については図１のものと同様であるため、その図示および説明については割愛する。
【００３１】
図３（ａ）に示した軒先取付板部２０は、中央基部２１については図２のものと同様であり、固定部２３が前方の板状部２４および後方の板状部２６を有する点で図２のものと同様であるが、さらにストッパ片２５を有する点で図２のものと相違する。また、固定具３０を斜め打ちできる構成についても図２のものと同様であるため、その作用効果についても説明を省略する。
【００３２】
ストッパ片２５は、前方の板状部２４の中央側の端部に、後方の板状部２６側に突出するように形成されている。特に本図例のストッパ片２５は、中央基部２１と後方の板状部２６との入隅２７に向かうように突出し、前方の板状部のストッパ片との折曲部が山形状に前方に突出している。なお、ストッパ片２５は入隅２７に向かうものでなくてもよく、後方の板状部２６の板面に対し、たとえば垂直に向かうように突出した形状であってもよい。
【００３３】
このようにストッパ片２５が設けてあるため、固定具３０の打ち込み操作をした際に、前方の板状部２４が後方の板状部２６に対し近づくように変形しても入隅２７で止まる。そのため固定操作がしやすくなる。なお、図例のもののようにストッパ片２５の先端と入隅２７との間に隙間があるものでもよいし、ストッパ片２５が入隅２７の近傍に接触したものであってもよい。このようにストッパ片２５が入隅２７に向かうものであれば、操作によりストッパ片２５の先端のずれが発生する可能性もほとんどなく、ずれなく固定することができる。
【００３４】
図３（ｂ）に示した軒先取付板部２０は、図２や図３（ａ）のものにくらべ厚めの板体で形成され、後方の板状部２６には、固定具３０の打ち込み方向に沿うように斜め方向に開通された固定具挿通孔２６ａが形成されている。なお、この軒先取付板部２０にはストッパ片２５は形成されていない。
【００３５】
このように、後方の板状部２６の固定具挿通孔２６ａが斜め方向に開通されているため、固定具３０の軸部３０ａを固定具挿通孔２６ａの内周縁２６ｂに沿わせながら固定具３０を挿通させることができる。また、固定部２３、２３（軒先取付板部２０）が厚めの材料で形成されているため、打ち込みによる前方の板状部２４の弾性変形はしにくく、そのため固定具３０の挿通方向にずれが発生する可能性は低い。そのため、後方の板状部２６の固定具挿通孔２６ａを丸孔としても問題はない。
【００３６】
このように、厚めの固定部２３、２３に隙が発生しにくい固定具挿通孔２４ａ、２６ａが形成されているため、この頑丈でずれにくい構成と、斜め打ちできる構成とがあいまって、軒樋支持具１の軒先面３への取り付けを、より強固なものとすることができる。なお、図３（ｂ）のものは変形しにくい構成であるため、図３（ａ）に示したようなストッパ片２５がなくてもよいが、さらにストッパ片２５を備えたものとしてもよい。
【００３７】
つぎに、図４（ａ）（ｂ）を参照しながら、さらに他の実施形態に係る軒樋支持具ついて説明する。
【００３８】
図４に示した軒先取付板部２０は、前方の板状部２４が後方の板状部２６の上下より延びるように形成された構成とされている。つまり、前方の板状部２４、２４は、左右の固定部２３、２３について上下一対ずつ形成されている。よって、計４片の前方の板状部２４、２４が形成されている。
【００３９】
固定具挿通孔２４ａ、２６ａは、図２のものと同様、縦に３つ並んで形成されている。前方の板状部（上）２４に３つうちの上の２つが開設され、前方の板状部（下）２４に３つうちの下の１つが開設されている。後方の板状部２６には３つの固定具挿通孔２６ａが縦に並んで設けてあるが、その形状は固定具の斜め挿通に合わせて縦に長い長孔とされている。
【００４０】
具体的には、図４（ｂ）に示すように、固定具３０を釘とした場合には、左右の固定部２３、２３のそれぞれについて、固定具３０が上下から先端が近づくように斜め方向に打ち込まれる。よって４カ所で固定具止めがなされる。
【００４１】
また、固定具３０をビスとした場合には、左右の固定部のそれぞれについて、固定具が上から斜め方向に打ち込まれる。
【００４２】
この軒先取付板部２０は本体部１０と一体化されて軒樋支持具１が形成されているため、固定具３０の打ち込み操作の際には、中央に突出した本体部１０から上下に離れた位置において軒先面３に対し斜め打ちができる。つまり、図２のものと同様、本体部１０が邪魔になることなく、軒樋支持具１の取り付けをすることができる。
【００４３】
なお、図４の例は上下に前方の板状部（上）２４に２つの固定具挿通孔２４ａを有し、前方の板状部（下）２４に１つの固定具挿通孔２４ａを有したものであるが、前方の板状部（上）２４に１つ、前方の板状部（下）２４に２つの孔を設けてもよいし、上下の一方に前方の板状部２４を設けてもよい。また、左右で異なる態様（たとえば左に前方の板状部（上）２４を設け、右に前方の板状部（下）２４を設けた態様）であってもよい。さらに、固定具挿通孔２４ａ、２６ａの並びを他の並びとしてもよい。
【００４４】
以上に示した軒樋支持具１は、本体部１０が出具合調節が可能なように複数部材で構成されているが、一体形成されたものであってもよい。また、軒樋支持具１は軒樋５を受け支持できる本体部１０を有したものであってもよい。いずれにせよ、本体部１０の後部と軒先取付板部２０とが一体化固定された軒樋支持具１であればよい。
【符号の説明】
【００４５】
１          軒樋支持具
３          軒先面
５          軒樋
１０        本体部
１１        取付足
１１ａ      足杆
１１ｂ      垂下片（後部）
１２        樋支持具本体
１２ａ      長孔
１２ｂ      前耳支持部
１２ｃ      後耳支持部
１３        ロックレバー
１３ａ      把持部
２０        軒先取付板部
２１        中央基部
２１ａ      締結孔
２２        凹部
２３        固定部
２４        前方の板状部、前方の板状部（上）、前方の板状部（下）
２４ａ      固定具挿通孔
２５        ストッパ片
２６        後方の板状部、後方の板状部（上）、後方の板状部（下）
２６ａ      固定具挿通孔
２６ｂ      内周縁
２７        入隅
３０        固定具
３０ａ      軸部
３２、３３  リベット
【図１】
2019060203.tif 000003
【図２】
2019060203.tif 000004
【図３】
2019060203.tif 000005
【図４】
2019060203.tif 000006